(57)【要約】【課題】通常時には大きな風圧に対抗でき、地震時には免震層でのスムーズな相対移動を妨げる虞のない壁面エキスパンションジョイントを提供する。【解決手段】本体躯体１と、本体に対し免震装置で分離されて平面的に相対移動するマスダンパーとなる躯体２のうち、一方に、両躯体の外壁Ｗ1、Ｗ２間の隙間を隠蔽するエキスパンションジョイントパネル２５をヒンジ機構２４により揺動自在に枢着し、前記パネル２５とヒンジ機構側の躯体とを油圧シリンダー装置２６等の伸縮装置で枢支連結し、当該伸縮装置の伸縮を阻止するロック状態と伸縮を許容するロック解除状態とに切換え可能なロック機構４を設け、通常時には、ロック状態にした伸縮装置で前記パネル２５を固定しておき、地震発生時には、地震センサーＳが設定震度以上の地震を感知することにより、ロック機構をロック状態からロック解除状態に切り換えて、伸縮装置による前記パネル２５の固定を解除する。【選択図】図９
2008106473.tif 000002
【特許請求の範囲】
【請求項１】
建築物における本体躯体と、本体に対し免震装置で分離されて平面的に相対移動するマスダンパーとなる躯体のうち、一方の躯体に、両躯体の外壁間の隙間を隠蔽するエキスパンションジョイントパネルをヒンジ機構により揺動自在に枢着し、当該エキスパンションジョイントパネルとヒンジ機構側の躯体とを伸縮装置で枢支連結し、当該伸縮装置の伸縮を阻止するロック状態と伸縮を許容するロック解除状態とに切換え可能なロック機構を設け、通常時には、ロック状態にした伸縮装置でエキスパンションジョイントパネルを固定しておき、地震発生時には、地震センサーが設定震度以上の地震を感知することにより、前記ロック機構をロック状態からロック解除状態に切り換えて、前記伸縮装置によるエキスパンションジョイントパネルの固定を解除するようにしたことを特徴とする壁面エキスパンションジョイント。
【請求項２】
請求項１に記載の壁面エキスパンションジョイントであって、前記伸縮装置が油圧シリンダー装置によって構成され、前記ロック機構が当該油圧シリンダー装置の油圧回路に設けられた電磁ロック弁によって構成され、通常時には、ロック状態にした油圧シリンダー装置でエキスパンションジョイントパネルを固定しておき、地震発生時には、地震センサーが設定震度以上の地震を感知することにより、前記電磁ロック弁をロック状態からロック解除状態に切り換えて、油圧シリンダー装置によるエキスパンションジョイントパネルの固定を解除するようにしたことを特徴とする壁面エキスパンションジョイント。
【請求項３】
請求項２に記載の壁面エキスパンションジョイントであって、設定震度以上の地震発生時に地震センサーから発せられるマスダンパー用トリガーを解除操作するためのトリガー信号によって、前記電磁ロック弁をロック状態からロック解除状態に切り換えて、油圧シリンダー装置によるエキスパンションジョイントパネルの固定を解除するようにしたことを特徴とする壁面エキスパンションジョイント。
【請求項４】
請求項３に記載の壁面エキスパンションジョイントであって、油圧シリンダー装置の油圧回路に、油圧シリンダー装置にかかる油圧を検出する圧力計とその検出結果に基づいて油圧シリンダー装置の油圧を解放する電磁リリーフ弁を設け、何らかの原因により前記電磁ロック弁がロック解除状態に切り換わらない場合、油圧シリンダー装置に一定の荷重がかかることによって、当該電磁リリーフ弁が解放動作するように構成し、何らかの原因により当該電磁リリーフ弁が解放動作しなかった場合、エキスパンションジョイントパネルと油圧シリンダー装置との連結部分が最初に破壊されて、油圧シリンダー装置によるエキスパンションジョイントパネルの固定が解除されるようにしたことを特徴とする壁面エキスパンションジョイント。
【請求項５】
請求項１に記載の壁面エキスパンションジョイントであって、前記伸縮装置が引張スプリングによって構成され、前記ロック機構がデッドボルトと当該デッドボルトの先端部を挿抜自在に挿入する係止孔とで構成され、通常時には、デッドボルトの先端部が係止孔に挿入されたロック状態の引張スプリングでエキスパンションジョイントパネルを固定しておき、地震発生時には、地震センサーが設定震度以上の地震を感知することにより、前記デッドボルトが係止孔から抜け出したロック解除状態に切り換えて、引張スプリングによるエキスパンションジョイントパネルの固定を解除するようにしたことを特徴とする壁面エキスパンションジョイント。
【請求項６】
請求項５に記載の壁面エキスパンションジョイントであって、前記引張スプリングが互いにスライド自在に嵌合する二重筒状の鞘管に内蔵されていることを特徴とする壁面エキスパンションジョイント。
【請求項７】
請求項５又は６に記載の壁面エキスパンションジョイントであって、何らかの原因によりロック機構がロック解除状態に切り換わらない場合、デッドボルトに一定の荷重がかかることによって、当該デッドボルトと係止孔との挿入係止部分が最初に破壊されて、引張スプリングによるエキスパンションジョイントパネルの固定が解除されるようにしたことを特徴とする壁面エキスパンションジョイント。
【請求項８】
請求項３又は７に記載の壁面エキスパンションジョイントであって、エキスパンションジョイントパネルとヒンジ機構側の躯体とをチェーンで連結してあることを特徴とする壁面エキスパンションジョイント。
【発明の詳細な説明】
【技術分野】
【０００１】
本発明は、建築物における本体躯体と、本体に対し免震装置で分離されて平面的に相対移動するマスダンパーとなる躯体との間に設けられる壁面エキスパンションジョイントに関する。
【背景技術】
【０００２】
従来の一般的な外壁エキスパンションジョイントでは、特許文献１, ２, ３, ４等に見られるように、外壁間の隙間を隠蔽するエキスパンションジョイントパネル（カバー材）を外壁の一方にスプリングで弾性支持させることによって、エキスパンションジョイントパネルの固定及び稼動時の復元を行うように構成されていた。
【０００３】
しかしながら、このエキスパンションジョイントパネルの支持方法を超高層建築物の壁面エキスパンションジョイントに用いると、次のような問題が生じる。即ち、例えば高さが１５０メートルを越えるような超高層の制震構造の建築物では、超高層部の壁面に強大な風圧が作用するので、超高層部に設置されたエキスパンションジョイントパネルには、風による強大な負圧が作用することになる。
【０００４】
従って、上述した従来のエキスパンションジョイントパネルの支持方法では、スプリングとして、負圧による強大な引張力に耐え得る強大なバネ力のスプリングが必要になる。そして、エキスパンションジョイントパネルの弾性支持に強大なバネ力のスプリングを用いると、地震時に免震層での相対移動がスムーズに行えなくなるという問題点がある。
【０００５】
【特許文献１】特開平６−１２９０２４号公報
【特許文献２】特開平９−１１１８９３公報
【特許文献３】特開２００４−２７８２２２号公報
【特許文献４】特開２００６−１３８１４２号公報
【発明の開示】
【発明が解決しようとする課題】
【０００６】
本発明は、上記の点に留意してなされたものであって、その目的とするところは、通常時には大きな風圧に対抗でき、地震時には免震層でのスムーズな相対移動を妨げる虞のない壁面エキスパンションジョイントを提供することにある。
【課題を解決するための手段】
【０００７】
上記の目的を達成するために本発明が講じた技術的手段は、次のとおりである。即ち、請求項１に記載の発明による壁面エキスパンションジョイントは、建築物における本体躯体と、本体に対し免震装置で分離されて平面的に相対移動するマスダンパーとなる躯体のうち、一方の躯体に、両躯体の外壁間の隙間を隠蔽するエキスパンションジョイントパネルをヒンジ機構により揺動自在に枢着し、当該エキスパンションジョイントパネルとヒンジ機構側の躯体とを伸縮装置で枢支連結し、当該伸縮装置の伸縮を阻止するロック状態と伸縮を許容するロック解除状態とに切換え可能なロック機構を設け、通常時には、ロック状態にした伸縮装置でエキスパンションジョイントパネルを固定しておき、地震発生時には、地震センサーが設定震度以上の地震を感知することにより、前記ロック機構をロック状態からロック解除状態に切り換えて、前記伸縮装置によるエキスパンションジョイントパネルの固定を解除するようにしたことを特徴としている。
【０００８】
請求項２に記載の発明は、請求項１に記載の壁面エキスパンションジョイントであって
、前記伸縮装置が油圧シリンダー装置によって構成され、前記ロック機構が当該油圧シリンダー装置の油圧回路に設けられた電磁ロック弁によって構成され、通常時には、ロック状態にした油圧シリンダー装置でエキスパンションジョイントパネルを固定しておき、地震発生時には、地震センサーが設定震度以上の地震を感知することにより、前記電磁ロック弁をロック状態からロック解除状態に切り換えて、油圧シリンダー装置によるエキスパンションジョイントパネルの固定を解除するようにしたことを特徴としている。
【０００９】
請求項３に記載の発明は、請求項２に記載の壁面エキスパンションジョイントであって、設定震度以上の地震発生時に地震センサーから発せられるマスダンパー用トリガーを解除操作するためのトリガー信号によって、前記電磁ロック弁をロック状態からロック解除状態に切り換えて、油圧シリンダー装置によるエキスパンションジョイントパネルの固定を解除するようにしたことを特徴としている。
【００１０】
請求項４に記載の発明は、請求項３に記載の壁面エキスパンションジョイントであって、油圧シリンダー装置の油圧回路に、油圧シリンダー装置にかかる油圧を検出する圧力計とその検出結果に基づいて油圧シリンダー装置の油圧を解放する電磁リリーフ弁を設け、何らかの原因により前記電磁ロック弁がロック解除状態に切り換わらない場合、油圧シリンダー装置に一定の荷重がかかることによって、当該電磁リリーフ弁が解放動作するように構成し、何らかの原因により当該電磁リリーフ弁が解放動作しなかった場合、エキスパンションジョイントパネルと油圧シリンダー装置との連結部分が最初に破壊されて、油圧シリンダー装置によるエキスパンションジョイントパネルの固定が解除されるようにしたことを特徴としている。
【００１１】
請求項５に記載の発明は、請求項１に記載の壁面エキスパンションジョイントであって、前記伸縮装置が引張スプリングによって構成され、前記ロック機構がデッドボルトと当該デッドボルトの先端部を挿抜自在に挿入する係止孔とで構成され、通常時には、デッドボルトの先端部が係止孔に挿入されたロック状態の引張スプリングでエキスパンションジョイントパネルを固定しておき、地震発生時には、地震センサーが設定震度以上の地震を感知することにより、前記デッドボルトが係止孔から抜け出したロック解除状態に切り換えて、引張スプリングによるエキスパンションジョイントパネルの固定を解除するようにしたことを特徴としている。
【００１２】
請求項６に記載の発明は、請求項５に記載の壁面エキスパンションジョイントであって、前記引張スプリングが互いにスライド自在に嵌合する二重筒状の鞘管に内蔵されていることを特徴とする壁面エキスパンションジョイント。
【００１３】
請求項７に記載の発明は、請求項５又は６に記載の壁面エキスパンションジョイントであって、何らかの原因によりロック機構がロック解除状態に切り換わらない場合、デッドボルトに一定の荷重がかかることによって、当該デッドボルトと係止孔との挿入係止部分が最初に破壊されて、引張スプリングによるエキスパンションジョイントパネルの固定が解除されるようにしたことを特徴としている。
【００１４】
請求項８に記載の発明は、請求項３又は７に記載の壁面エキスパンションジョイントであって、エキスパンションジョイントパネルとヒンジ機構側の躯体とをチェーンで連結してあることを特徴としている。
【発明の効果】
【００１５】
請求項１に記載の発明によれば、ヒンジ機構により揺動自在に枢着されたエキスパンションジョイントパネルとヒンジ機構側の躯体とを伸縮装置で枢支連結し、通常時には、ロック機構によって当該伸縮装置をロック状態にして、エキスパンションジョイントパネル
を固定しておくため、風による揺動が阻止されて、強大な負圧に耐えることができ、例えば高さが１５０メートルを越えるような超高層の制震構造の建築物にも適用することが可能である。それでいて、地震発生時には、地震センサーが設定震度以上の地震を感知することにより、前記ロック機構をロック状態からロック解除状態に切り換えて、伸縮装置によるエキスパンションジョイントパネルの固定を解除するので、免震層でのスムーズな相対移動を妨げる虞がない。
【００１６】
請求項２に記載の発明によれば、前記伸縮装置が油圧シリンダー装置によって構成され、前記ロック機構が当該油圧シリンダー装置の油圧回路に設けられた電磁ロック弁によって構成されているので、通常時には、油圧シリンダー装置の油圧回路に設けた電磁ロック弁によりロック状態にした油圧シリンダー装置でエキスパンションジョイントパネルを固定しておくことにより、風による揺動が阻止されて、強大な風圧に耐えることができ、それでいて、地震発生時には、地震センサーが設定震度以上の地震を感知することにより、前記電磁ロック弁をロック状態からロック解除状態に切り換えて、油圧シリンダー装置によるエキスパンションジョイントパネルの固定を解除するので、免震層でのスムーズな相対移動を妨げる虞がない。
【００１７】
また、地震終了後は、油圧シリンダー装置を伸縮作動させて、エキスパンションジョイントパネルを元の位置に復帰させることができる。
【００１８】
請求項３に記載の発明によれば、設定震度以上の地震発生時に地震センサーから発せられるマスダンパー用トリガーを解除操作するためのトリガー信号（マスダンパーの固定を解除する信号）によって、前記電磁ロック弁をロック状態からロック解除状態に切り換えて、油圧シリンダー装置によるエキスパンションジョイントパネルの固定を解除するので、設定震度以上の地震発生時にトリガー信号を発する地震センサーがエキスパンションジョイントパネルの油圧シリンダー装置をロック状態からロック解除状態に切り換えるための電磁ロック弁を切換え動作させる地震センサーに兼用されることになり、地震センサーの兼用による構成の簡略化と低コスト化が可能である。
【００１９】
請求項４に記載の発明によれば、油圧シリンダー装置の油圧回路に、油圧シリンダー装置にかかる油圧を検出する圧力計とその検出結果に基づいて油圧シリンダー装置の油圧を解放する電磁リリーフ弁を設け、何らかの原因により前記電磁ロック弁がロック解除状態に切り換わらない場合、油圧シリンダー装置に一定の荷重がかかることによって、当該電磁リリーフ弁が解放動作するように構成し、何らかの原因により当該電磁リリーフ弁が解放動作しなかった場合、エキスパンションジョイントパネルと油圧シリンダー装置との連結部分が最初に破壊されて、油圧シリンダー装置によるエキスパンションジョイントパネルの固定が解除されるようにしたので、二段階のフェールセーフとなって、設定震度以上の地震発生時に免震層での相対移動が開始されたにもかかわらず、エキスパンションジョイントパネルが開放されないといった不都合な事態の発生を確実に防止できる。
【００２０】
この場合、更に、請求項８に記載のように、エキスパンションジョイントパネルとヒンジ機構側の躯体とをチェーンで連結しておけば、予測不能な原因（例えば、飛来物の衝突）によって壁面エキスパンションジョイントが破壊されても、エキスパンションジョイントパネルとヒンジ機構側の躯体とをチェーンで連結してあるので、三段階のフェールセーフとなって、エキスパンションジョイントパネルの落下の危険性を少しでも軽減させることができる。
【００２１】
請求項５に記載の発明によれば、エキスパンションジョイントパネルとヒンジ機構側の外壁とを引張スプリングで枢支連結して、引張スプリングの引張力で耐風パネルが復元するように構成しているにもかかわらず、通常時には、ロック機構で耐風パネルを固定して
おくので、耐風パネルに風による強大な負圧が作用しても、引張スプリングには引張力が作用しない。従って、風による強大な負圧に耐える強大なバネ力の引張スプリングが必要でないので、強大なバネ力のために、地震時に免震層での相対移動がスムーズに行えなくなるという問題を回避できることになる。
【００２２】
請求項６に記載の発明によれば、引張スプリングが互いにスライド自在に嵌合する二重筒状の鞘管に内蔵されているので、鞘管のスライドストローク端の設定によって、耐風パネルの初期位置を規定することができ、しかも、引張スプリングが風雨に曝されていないので、引張スプリングの発錆を防止して、長期間にわたって外部壁面エキスパンションジョイントの性能を維持できる。
【００２３】
請求項７に記載の発明によれば、何らかの原因によりロック機構がロック解除状態に切り換わらない場合、デッドボルトに一定の荷重がかかることによって、当該デッドボルトと係止孔との挿入係止部分が最初に破壊されて、引張スプリングによるエキスパンションジョイントパネルの固定が解除されるので、エキスパンションジョイントパネルの落下を防止することができる。更に、請求項８に記載のように、エキスパンションジョイントパネルとヒンジ機構側の躯体とをチェーンで連結しておけば、予測不能な原因（例えば、飛来物の衝突）によって壁面エキスパンションジョイントが破壊されても、エキスパンションジョイントパネルとヒンジ機構側の躯体とをチェーンで連結してあるので、エキスパンションジョイントパネルの落下の危険性を少しでも軽減させることができる。
【発明を実施するための最良の形態】
【００２４】
以下、本発明に係る壁面エキスパンションジョイントを図面に基づいて説明する。図１〜図４は、スカイラウンジとして利用される最上階の一部（図２に示す平面視ほぼ馬蹄形の部分）を階段・エレベータが設けられている本体コア部の躯体１と免震層ａで分離し、分離した最上階部分（本体コア部となる躯体１の三方を取り囲む馬蹄形の部分）の躯体２を本体コア部の躯体１に対して平面的に相対移動するマスダンパー（質量ダンパー）とした制震構造の超高層建築物を示す。
【００２５】
具体的には、この超高層建築物は、地表近く（例えば１階）に設置された地震センサーＳが設定震度以上の地震を感知すると、当該地震センサーＳから発せられるマスダンパー用トリガー（最上階のマスダンパーとなる躯体２と本体コア部の躯体１との固定及び固定解除を司る機構）を解除操作するためのトリガー信号Ｔによって、本体コア部の躯体１に対するマスダンパーの固定状態が解かれ、マスダンパー（スカイラウンジとして利用される最上階の躯体２）が最大±１ｍの稼動をするように構成されている。図３、図４に示す３は分離した最上階の躯体（スカイラウンジ）２を支持する免震装置であり、免震層ａは、免震装置や積層ゴム等によって構成されている。５は減衰用オイルダンパー、６はトリガー用オイルダンパーである。
【００２６】
本体コア部の躯体１とマスダンパーとなる躯体２の相対向する外壁Ｗ１、Ｗ２間には、防火区画された連絡通路７を形成すると共に当該連絡通路７の雨水処理を行う内部壁面エキスパンションジョイントＥＸＰ．Ｊ１が複数箇所に設けられている。図示の例では、内部壁面エキスパンションジョイントＥＸＰ．Ｊ１が４箇所にあり、図２に示すように、本体コア部１の左右両側面とそれに対向する馬蹄形部分の内側面との間に２箇所ずつ設けられている。
【００２７】
そして、各々の内部壁面エキスパンションジョイントＥＸＰ．Ｊ１の外側（屋外空間側）には、風圧処理用の壁面エキスパンションジョイントＥＸＰ．Ｊ２を設けて、内部壁面エキスパンションジョイントＥＸＰ．Ｊ１に風圧が作用することを防止するように構成されている。従って、内部壁面エキスパンションジョイントＥＸＰ．Ｊ１による雨水処理手
段や防火区画形成手段に対する風圧による悪影響を阻止することが可能となり、内部壁面エキスパンションジョイントＥＸＰ．Ｊ１による本来の止水性能を確保でき、防火区画も確実に維持できることになる。
【００２８】
図示の例では、前記壁面エキスパンションジョイントＥＸＰ．Ｊ２は、図２に示すように、相対向する外壁Ｗ１、Ｗ２間の隙間のうち、馬蹄形部分の端部に対応する２箇所と、本体コア部の躯体１と馬蹄形部分の中央部との間に形成された屋根の無い吹抜け（中庭用のオープンスペース）８に面した２箇所に設けられている。
【００２９】
内部壁面エキスパンションジョイントＥＸＰ．Ｊ１は、図３、図５〜図７に示すように、連絡通路７の床を形成する床エキスパンションジョイント９と、連絡通路７の天井を形成する天井エキスパンションジョイント１０と、連絡通路７の左右の内壁を形成する左右一対の内壁エキスパンションジョイント１１とを備えている。
【００３０】
床エキスパンションジョイント９は、躯体１側に固定された床板１２と、躯体２側に固定された床板１３と、両床板１２,１３に対して平面的に相対移動する中央の床板１４と
、その床板１４より下方において躯体１と躯体２にわたって連結された縦軸芯周りに変形する左右一対の水平なパンタグラフ式リンク１５とを備え、当該パンタグラフ式リンク１５における中央の枢支軸１５ａを中央の床板１４に対して縦軸芯周りで回転自在に枢着してある。
【００３１】
天井エキスパンションジョイント１０は、一方の躯体１により連絡通路７の幅方向にスライド自在に支持され且つ他方の躯体２により連絡通路７の長手方向（連絡通路７の幅方向と直角な方向）にスライド自在に支持されたガイドレール１６と、当該ガイドレール１６の下面に固定された天井板１７とで構成されている。
【００３２】
内壁エキスパンションジョイント１１は、蛇腹状をなす折り畳み自在な一対の壁板１８と、各壁板１８の外側において躯体１と躯体２にわたって連結された水平軸芯周りに変形する左右二対の垂直なパンタグラフ式リンク１９とを備え、当該パンタグラフ式リンク１９の各枢支軸を蛇腹状壁板１８の折れ曲り稜線に枢支連結して構成されている。
【００３３】
そして、これら床エキスパンションジョイント９、天井エキスパンションジョイント１０、内壁エキスパンションジョイント１１の周囲全体を取り囲む状態に防火区画形成用の可撓性耐火帯２０を配設し、この可撓性耐火帯２０を、床エキスパンションジョイント９の中央の床板１４に枢着された前記の水平なパンタグラフ式リンク１５、天井の可撓性耐火帯２０よりも上方において躯体１と躯体２にわたって連結された水平なパンタグラフ式リンク２１、側壁の可撓性耐火帯２０よりも外側において躯体１と躯体２にわたって連結された垂直なパンタグラフ式リンク２２で支持させて、地震によるマスダンパー稼動時にも連絡通路７の防火区画が維持されるように構成されている。
【００３４】
また、防火区画の周囲には、その全体を取り囲む状態に止水シート２３を配置し、当該止水シート２３の一端を躯体１側に、他端を躯体２側に、夫々、水密状態に固定して、連絡通路７の雨水処理（止水処理）を行うように構成されている。
【００３５】
前記壁面エキスパンションジョイントＥＸＰ．Ｊ２は、内部壁面エキスパンションジョイントＥＸＰ．Ｊ１に風圧がかからないようにすることを主目的とするものであるが、通常時、雨の吹き込みを抑制する程度の雨水処理の役目も果たすものである。
【００３６】
図示の例では、壁面エキスパンションジョイントＥＸＰ．Ｊ２が、図８に示すように、重量及び風圧を分散するために上下複数段（図示の例では３段）のユニットに分割されて
おり、各段のユニットは、図９、図１０に示すように、躯体１と躯体２との相対向する外壁Ｗ１、Ｗ２の一方に上下方向の回動中心を有するヒンジ機構２４により揺動自在に枢着されて、外壁Ｗ１、Ｗ２間の隙間を隠蔽する耐風強度の高い（例えば、１００年再現周期の最大設計風圧に耐える強度、換言すれば、１００年に一度有るような強風に耐える強度に設計された）エキスパンションジョイントパネル２５と、当該エキスパンションジョイントパネル２５とヒンジ機構２４側の躯体２とを枢支連結する伸縮装置としての油圧シリンダー装置２６とを備えている。
【００３７】
油圧シリンダー装置（伸縮装置の一例である。）２６には、当該油圧シリンダー装置２６の伸縮を阻止するロック状態と伸縮を許容するロック解除状態とに切換え可能なロック機構４を設けてある。そして、通常時には、油圧シリンダー装置２６でエキスパンションジョイントパネル２５を固定しておき、地震発生時には、前記地震センサーＳが設定震度以上の地震を感知することにより、前記油圧シリンダー装置２６をロック状態からロック解除状態に切り換えて、油圧シリンダー装置２６によるエキスパンションジョイントパネル２５の固定を解除するように構成されている。尚、各段のユニットにおける油圧シリンダー装置２６は、互いに並列に接続されており、同時に同じ作動をするように構成されている。
【００３８】
より詳しく説明すると、エキスパンションジョイントパネル２５の裏面に固着された複数本（図示の例では８本）の水平フレーム２７ａとそれらと直角に連結された垂直フレーム２７ｂとから成る補強フレームのうち、パネル中央から上下に等間隔を隔てた２本の水平フレーム２７ａの先端に夫々キャスター２８を設け、パネル中央部の垂直フレーム２７ｂとヒンジ機構２４側の外壁Ｗ２とを、前記油圧シリンダー装置２６で枢支連結し、当該油圧シリンダー装置２６の油圧回路に後述する電磁ロック弁２９を設けて、前記ロック機構４を構成し、前記地震センサーＳから発せられるトリガー信号Ｔにより電磁ロック弁２９を開放動作させるように構成してある。
【００３９】
尚、通常時、つまり、エキスパンションジョイントパネル２５の油圧シリンダー装置２６がロック状態にあるとき、前記キャスター２８の先端とそれに対向する躯体１の外壁Ｗ１との間には、図９に示すように、若干の隙間（例えば、４０ｍｍ程度の隙間）Ｈが形成されており、エキスパンションジョイントパネル２５の揺動先端縁に取り付けられたパッキン３０のみが外壁Ｗ１に接触し、キャスター２８が外壁Ｗ１に接触しないようになっている。これは、風や設定震度以下の地震等による層間変位を許容するための工夫である。
【００４０】
図１１は、油圧シリンダー装置２６の油圧回路を示す。図１１において、３１はオイルタンク、３２は油面計、３３は給油口兼エアブリーザー、３４はサクションストレーナー、３５は油圧ポンプ、３６はチェック弁、３７は圧力計である。３８は、油圧シリンダー装置２６を人為的に伸縮作動させるための電磁切換弁であり、弁体のスライドにより、油圧シリンダー装置２６を伸長させる流路と、油圧シリンダー装置２６を縮小させる流路と、オイルを循環させる流路とを切り換えるようになっている。
【００４１】
２９は、油圧シリンダー装置２６の伸縮を阻止するロック状態と伸縮を許容するロック解除状態とに切り換える電磁ロック弁（ノンリークバルブ）であり、油圧シリンダー装置２６の油路を遮断するロック状態と、油圧シリンダー装置２６の油路を開放するロック解除状態とに切換え可能に構成されている。そして、通常時には、ロック状態にした油圧シリンダー装置２６でエキスパンションジョイントパネル２５を固定しておき、設定震度以上の地震発生時には、前記地震センサーＳから発せられるマスダンパー用トリガーを解除操作するためのトリガー信号Ｔによって、前記電磁ロック弁２９をロック状態からロック解除状態に切り換えて、油圧シリンダー装置２６によるエキスパンションジョイントパネル２５の固定を解除するように構成されている。２９ａはパイロットチェック弁である。
【００４２】
電磁ロック弁２９と油圧シリンダー装置２６の間の油路には、油圧シリンダー装置２６に掛かる油圧を検出する圧力計３９とその検出結果に基づいて油圧シリンダー装置２６の油圧を解放する電磁リリーフ弁４０が設けられており、何らかの原因により前記電磁ロック弁２９がロック解除状態に切り換わらない場合、油圧シリンダー装置２６に一定の荷重（例えば、１００年再現周期の荷重の１．１倍）が掛かることによって、当該電磁リリーフ弁４０が解放動作し、油圧シリンダー装置２６によるエキスパンションジョイントパネル２５の固定が解除されるように構成してある。図示しないが、電磁リリーフ弁４０の電源回路には、５分間の無停電電源装置が組み込まれており、地震による停電が発生しても、電磁リリーフ弁４０が開放動作し得るように構成されている。
【００４３】
エキスパンションジョイントパネル２５と油圧シリンダー装置２６との連結部分（例えば、エキスパンションジョイントパネル２５の補強フレームに油圧シリンダー装置２６の一端を枢支連結するためのピン４１又はピン４１を支持するブラケットの固定用ボルト４２）の破壊強度は、電磁リリーフ弁４０を開放動作させる荷重の１．２倍に設定されているが、エキスパンションジョイントパネル２５における全ての部位の強度を下回る設計となっている。
【００４４】
従って、何らかの原因により当該電磁リリーフ弁４０が解放動作しなかった場合、エキスパンションジョイントパネル２５と油圧シリンダー装置２６との連結部分が最初に破壊されて、油圧シリンダー装置２６によるエキスパンションジョイントパネル２５の固定が解除されることになる。
【００４５】
４３はエキスパンションジョイントパネル２５とヒンジ機構４側の躯体２とを連結するステンレス鋼製のチェーンである。従って、予測不能な原因（例えば、飛来物の衝突）によって壁面エキスパンションジョイントが破壊されても、エキスパンションジョイントパネル２５とヒンジ機構２４側の躯体２とをチェーン４３で連結してあるので、エキスパンションジョイントパネル２５の落下を防止できる。
【００４６】
上記の構成によれば、ヒンジ機構２４により揺動自在に枢着されたエキスパンションジョイントパネル２５とヒンジ機構２４側の躯体２とを油圧シリンダー装置２６で枢支連結し、通常時には、ロック機構４によって、つまり、油圧シリンダー装置２６の油圧回路に設けた電磁ロック弁２９によりロック状態にした油圧シリンダー装置２６でエキスパンションジョイントパネル２５を固定しておくので、強大な風圧に耐えることができ、例えば高さが１５０メートルを越えるような超高層の制震構造の建築物にも適用することが可能である。
【００４７】
それでいて、地震発生時には、地震センサーＳが設定震度以上の地震を感知することにより、前記電磁ロック弁２９をロック状態からロック解除状態に切り換えて、油圧シリンダー装置２６によるエキスパンションジョイントパネル２５の固定を解除するので、免震層ａでのスムーズな相対移動を妨げる虞がなく、図１２〜図１４に示すように、マスダンパー（スカイラウンジとして利用される最上階の躯体２）が最大±１ｍの範囲でスムーズに稼動して、本体コア部の躯体１の揺れを防止することになる。
尚、油圧シリンダー装置２６は、ロック解除状態において油圧が開放されるので、エキスパンションジョイントパネル２５のキャスター２８が外壁Ｗ１で押されることによって、図１０の（Ｂ）、図１４に示すように、伸長するが、図１３に示すように、外壁Ｗ１、Ｗ２間の隙間が広くなる方向に躯体２が稼動しても、油圧シリンダー装置２６はこれに追従しない。
【００４８】
地震センサーＳとしては、電磁ロック弁２９専用のものを用いてもよいが、上記の実施
形態では、設定震度以上の地震発生時に地震センサーＳから発せられるマスダンパー用トリガーを解除操作するためのトリガー信号（マスダンパーの固定を解除する信号）Ｔによって、前記電磁ロック弁２９をロック状態からロック解除状態に切り換えて、油圧シリンダー装置２６によるエキスパンションジョイントパネル２５の固定を解除するようにしたので、設定震度以上の地震発生時にトリガー信号を発する地震センサーＳがエキスパンションジョイントパネル２５の油圧シリンダー装置２６をロック状態からロック解除状態に切り換えるための電磁ロック弁２９を切換え動作させる地震センサーに兼用されることになり、地震センサーの兼用による構成の簡略化と低コスト化が可能である。
【００４９】
また、地震終了後は、電磁切換弁３８により油圧シリンダー装置２６を伸縮作動させて、エキスパンションジョイントパネル２５を元の位置に復帰させることができる。
【００５０】
殊に、上記の構成によれば、三段階のフェールセーフとなって、エキスパンションジョイントパネル２５の落下の危険性を少しでも軽減させることができる。即ち、設定震度以上の地震発生時に、何らかの原因により前記電磁ロック弁２９がロック解除状態に切り換わらない場合、油圧シリンダー装置２６に一定の荷重がかかることによって、電磁リリーフ弁４０が解放動作して、油圧シリンダー装置２６によるエキスパンションジョイントパネル２５の固定が解除され、何らかの原因により電磁リリーフ弁４０が解放動作しなかった場合には、エキスパンションジョイントパネル２５と油圧シリンダー装置２６との連結部分が最初に破壊されて、油圧シリンダー装置２６によるエキスパンションジョイントパネル２５の固定が解除される。
【００５１】
従って、設定震度以上の地震発生時に免震層ａでの相対移動が開始されたにもかかわらず、エキスパンションジョイントパネル２５の固定状態が解除されないといった不都合な事態の発生を確実に防止でき、たとえ予測不能な原因（例えば、飛来物の衝突）によって壁面エキスパンションジョイントが破壊されても、エキスパンションジョイントパネル２５とヒンジ機構２４側の躯体２とをチェーン４３で連結してあるので、エキスパンションジョイントパネル２５の落下を防止できるのである。
【００５２】
図１５、図１６は、本発明の他の実施形態を示し、エキスパンションジョイントパネル２５とヒンジ機構２４側の躯体２とを枢支連結する伸縮装置として引張スプリング４４を採用し、引張スプリング４４の伸縮を阻止するロック状態と伸縮を許容するロック解除状態とに切換え可能なロック機構４を、デッドボルト４５と当該デッドボルト４５の先端部を挿抜自在に挿入する係止孔４６とで構成し、通常時には、デッドボルト４５の先端部が係止孔４６に挿入されたロック状態の引張スプリング４４でエキスパンションジョイントパネル２５を固定しておき、地震発生時には、前記地震センサーＳが設定震度以上の地震を感知することにより、前記デッドボルト４５が係止孔４６から抜け出したロック解除状態に切り換えて、引張スプリング４４によるエキスパンションジョイントパネル２５の固定を解除するようにした点に特徴がある。
【００５３】
より詳しく説明すると、エキスパンションジョイントパネル２５の裏面に固着された複数本（図示の例では８本）の水平フレーム２７ａとそれらと直角に連結された垂直フレーム２７ｂとから成る補強フレームのうち、エキスパンションジョイントパネル２５中央から上下に等間隔を隔てた２本の水平フレーム２７ａの先端に夫々キャスター２８を設け、エキスパンションジョイントパネル２５中央部の垂直フレーム２７ｂとヒンジ機構２４側の外壁Ｗ２とを、エキスパンションジョイントパネル２５の固定及び稼動時の復元を司る引張スプリング４４で枢支連結してある。尚、引張スプリング４４の両端は、後述するピン４７,４８で支持されている。
【００５４】
躯体１の外壁Ｗ１の所定位置に、出没可能なデッドボルト４５とそれを出没駆動する電
磁石（図示せず）とを備えた電気錠本体４９を固定する一方、通常時、これと対向する位置にある水平フレーム２７ａの先端には、前記デッドボルト４５の先端部が挿入される係止孔４６を有する係止用ブロック５０を固着して、電気錠から成るロック機構４を構成してある。
【００５５】
そして、通常時には、突出状態にあるデッドボルト４５の先端部が係止孔４６に挿入されて、エキスパンションジョイントパネル２５の揺動を阻止するロック状態が維持され、設定震度以上の地震発生時には、電気錠の制御装置（図示せず）が前記地震センサーＳからのトリガー信号を受けることにより、デッドボルト４５が電気錠本体４９に引き込まれて、係止孔４６から抜け出したロック解除状態に切り換わり、エキスパンションジョイントパネル２５の揺動阻止状態が解除されるように構成されている。
【００５６】
従って、ロック解除状態において、マスダンパーが外壁Ｗ１、Ｗ２間の隙間が狭くなる方向に稼動すると、図１６に示すように、キャスター２８が外壁Ｗ１で押され、エキスパンションジョイントパネル２５が引張スプリング４４に抗してヒンジ機構２４の回動中心周りに揺動し、マスダンパーに追従することになる。
【００５７】
尚、通常時、つまり、エキスパンションジョイントパネル２５がロック状態にあるとき、キャスター２８の先端とそれに対向する躯体１の外壁Ｗ１との間には、図１５に示すように、若干の隙間（例えば、４０ｍｍ程度の隙間）Ｈが形成されており、エキスパンションジョイントパネル２５の揺動先端縁に取り付けられたパッキン３０のみが外壁Ｗ１に接触し、キャスター２８が外壁Ｗ１に接触しないようになっている。また、係止孔４６の内面には適当な厚さのクロロプレンゴム等のスポンジ状緩衝材４６ａが取り付けられている。これらは、何れも、風や設定震度以下の地震等による層間変位を許容するための工夫である。
【００５８】
前記引張スプリング４４には、互いにスライド自在に嵌合する二重筒状の鞘管５１が套嵌され、一方の鞘管５１ａの基端はヒンジ機構２４の回動中心と平行なピン（引張スプリング２９の一端を支持するピン）４７でエキスパンションジョイントパネル２５側に枢着され、他方の鞘管５１ｂの基端は前記ピン４７と平行なピン（引張スプリング４４の他端を支持するピン）４８でヒンジ機構２４側の外壁Ｗ２に枢着されている。内側の鞘管５１ａの基端側外面には、外側の鞘管５１ｂの開口端にして、それ以上の縮小方向へのスライドを阻止するストッパー（スライドストローク端を設定するストッパー）５２が設けられている。
【００５９】
従って、ピン４７,４８とヒンジ機構２４との位置関係、換言すれば、エキスパンショ
ンジョイントパネル２５の初期位置が規定されることになる。また、引張スプリング４４が鞘管５１に内蔵されているので、引張スプリング４４が風雨に曝されず、引張スプリング４４の発錆を防止できる。従って、長期間にわたって壁面エキスパンションジョイントＥＸＰ．Ｊ２の性能が維持されることになる。
【００６０】
尚、デッドボルト４５と係止孔４６との挿入係止部分（例えばデッドボルト４５又は係止孔４６を形成する係止用ブロック５０）の破壊強度は、壁面エキスパンションジョイントＥＸＰ．Ｊ２の破壊強度よりも弱く設計されており、設定震度以上の地震発生時に、何らかの原因によりデッドボルト４が係止孔４６から抜け出さない場合、デッドボルト４５に一定の荷重（例えば、１００年再現周期の荷重の１．１倍）が掛かることによって、当該デッドボルトと係止孔との挿入係止部分が最初に破壊されて、引張スプリング４４によるエキスパンションジョイントパネル２５の固定が解除されるように構成されている。
【００６１】
上記の構成によれば、エキスパンションジョイントパネル２５側とヒンジ機構２４側の
外壁Ｗ２とを、エキスパンションジョイントパネル２５の固定及び稼動時の復元を司る引張スプリング４４で枢支連結してあるが、通常時には、ロック機構４のデッドボルト３０先端部を係止孔３１に挿入して、エキスパンションジョイントパネル２５を固定しておくので、エキスパンションジョイントパネル２５に風による強大な負圧が作用しても、引張スプリング４４には引張力が作用せず、従って、引張スプリング４４として風による強大な負圧に耐える強大なバネ力の引張スプリングを必要としない。
【００６２】
設定震度以上の地震発生時には、地震センサーＳから発せられるマスダンパー用トリガーを解除操作するためのトリガー信号Ｔによって、躯体１に対するマスダンパー（スカイラウンジとして利用される最上階部分の躯体２）の固定状態が解かれると同時に、前記デッドボルト３０が係止孔３１から抜け出してロック解除状態に切り換わり、エキスパンションジョイントパネル２５の固定を解除する。
【００６３】
従って、壁面エキスパンションジョイントＥＸＰ．Ｊ２のエキスパンションジョイントパネル２５が地震時における免震層ａでの相対移動の妨げにならず、しかも、引張スプリング４４として強大なバネ力のものを要求されないので、引張スプリング４４によって免震層ａでのスムーズな相対移動を妨げることもなく、図１７、図１８に示すように、マスダンパー（スカイラウンジとして利用される最上階部分の躯体２）が最大±１ｍの範囲でスムーズに稼動して、本体１の揺れを防止することになる。
【００６４】
地震が終わると、壁面エキスパンションジョイントＥＸＰ．Ｊ２のエキスパンションジョイントパネル２５が引張スプリング４４によって初期位置に復帰するので、図１５に示したロック状態に復元することができる。
【００６５】
図１９は、本発明の他の実施形態を示し、ヒンジ機構２４側の外壁Ｗ２に、エキスパンションジョイントパネル２５の補強フレームの一部２７ｃと当接して、エキスパンションジョイントパネル２５のそれ以上の内側への揺動を阻止するストッパー５３を設けた点に特徴がある。
【００６６】
この構成によれば、引張スプリング４４に套嵌させる二重筒状の鞘管５１が不要となるので、低コスト化を図ることができる。その他の構成、作用効果は先の実施形態と同じであるため、同一構成部材に同一符号を付し、説明を省略する。
【００６７】
以上、本発明の実施例について説明したが、本発明はこうした実施例に何等限定されるものではなく、本発明の要旨を逸脱しない範囲において、種々なる態様で実施し得ることは勿論である。
【図面の簡単な説明】
【００６８】
【図１】本発明の一実施形態を示す超高層建築物の概略側面図である。
【図２】超高層建築物の最上階部分の要部横断平面図である。
【図３】図２のＡ−Ａ断面図である。
【図４】図２のＢ−Ｂ断面図である。
【図５】内部壁面エキスパンションジョイントの分解斜視図である。
【図６】内部壁面エキスパンションジョイントの縦断側面図である。
【図７】内部壁面エキスパンションジョイントの縦断正面図である。
【図８】図２のＣ−Ｃ立面図である。
【図９】本発明に係る壁面エキスパンションジョイントの横断平面図である。
【図１０】本発明に係る壁面エキスパンションジョイントの作用図である。
【図１１】本発明に係る壁面エキスパンションジョイントにおける油圧シリンダー装置の油圧回路図である。
【図１２】本発明に係る壁面エキスパンションジョイントと内部壁面エキスパンションジョイントの通常時における位置関係を示す作用図である。
【図１３】本発明に係る壁面エキスパンションジョイントと内部壁面エキスパンションジョイントの地震時における位置関係を示す作用図である。
【図１４】本発明に係る壁面エキスパンションジョイントと内部壁面エキスパンションジョイントの地震時における位置関係を示す作用図である。
【図１５】本発明の他の実施形態を示す壁面エキスパンションジョイントの通常時における横断平面図である。
【図１６】上記の壁面エキスパンションジョイントの地震時における横断平面図である。
【図１７】上記の壁面エキスパンションジョイントと内部壁面エキスパンションジョイントの地震時における位置関係を示す作用図である。
【図１８】上記の壁面エキスパンションジョイントと内部壁面エキスパンションジョイントの地震時における位置関係を示す作用図である。
【図１９】本発明の他の実施形態を示す壁面エキスパンションジョイントの通常時における横断平面図である。
【符号の説明】
【００６９】
ＥＸＰ．Ｊ２Ａ  壁面エキスパンションジョイント
Ｓ  地震センサー
ａ  免震層
１，２  躯体
４  ロック機構
２５  エキスパンションジョイントパネル
２６  油圧シリンダー装置（伸縮装置）
２９  電磁ロック弁
４４  引張スプリング（伸縮装置）
４５  デッドボルト
４６  係止孔
【図１】
2008106473.tif 000003
【図２】
2008106473.tif 000004
【図３】
2008106473.tif 000005
【図４】
2008106473.tif 000006
【図５】
2008106473.tif 000007
【図６】
2008106473.tif 000008
【図７】
2008106473.tif 000009
【図８】
2008106473.tif 000010
【図９】
2008106473.tif 000011
【図１０】
2008106473.tif 000012
【図１１】
2008106473.tif 000013
【図１２】
2008106473.tif 000014
【図１３】
2008106473.tif 000015
【図１４】
2008106473.tif 000016
【図１５】
2008106473.tif 000017
【図１６】
2008106473.tif 000018
【図１７】
2008106473.tif 000019
【図１８】
2008106473.tif 000020
【図１９】
2008106473.tif 000021